(57)【特許請求の範囲】
【請求項１】
半導体チップと、
前記半導体チップを内蔵する本体部と、
前記半導体チップに電気接続されると共に前記本体部の外面から突出して前記本体部の外面上に間隔をあけて配される複数の外部端子と、
電気的な絶縁性を有し、互いに隣り合う一対の前記外部端子の間において前記本体部の外面から突出するように配されることで、これら一対の前記外部端子の絶縁距離を延長する絶縁隔壁と、
前記本体部の外面と前記外部端子との間に挿入される爪部と、
前記本体部の外面と前記外部端子との間において前記爪部を前記外部端子側に押し付ける弾性部とを具備し、
前記爪部と前記弾性部とにより前記絶縁隔壁を前記本体部及び前記外部端子に対して固定することを特徴とする半導体装置。
【請求項２】
前記爪部は、前記絶縁隔壁の突出方向基端部に形成されていることを特徴とする請求項１に記載の半導体装置。
【請求項３】
前記絶縁隔壁は、弾性変形可能であり、弾性変形によって生じる弾性力により互いに隣り合う一対の前記外部端子の間に挟み込まれることを特徴とする請求項２に記載の半導体装置。
【請求項４】
前記絶縁隔壁は、前記本体部の外面から突出するように配されると共に一対の前記外部端子の配列方向に互いに間隔をあけて配される一対の隔壁板部と、前記一対の隔壁板部をその突出方向の先端部において連結し、弾性変形可能である接続板部とを有し、
前記一対の隔壁板部の間隔は、前記接続板部の弾性変形により変化することを特徴とする請求項３に記載の半導体装置。
【請求項５】
前記絶縁隔壁には、その突出方向の先端部から一対の前記外部端子の上方を覆うように一対の前記外部端子の配列方向に延出する上方カバー部が一体に形成され、
前記上方カバー部の延出方向の両先端部が前記上方カバー部の延出方向の基端部よりも高いあるいは低いことを特徴とする請求項３または４に記載の半導体装置。
【請求項６】
前記絶縁隔壁には、その突出方向の先端部から一対の前記外部端子の上方を覆うように一対の前記外部端子の配列方向に延出する上方カバー部が一体に形成され、
前記上方カバー部の延出方向の両先端部には、一対の前記外部端子をその配列方向から挟み込む一対の狭持部が一体に形成され、
前記爪部は、前記一対の狭持部各々に形成されていることを特徴とする請求項１に記載の半導体装置。
【請求項７】
前記上方カバー部は、その延出方向の両先端部が前記上方カバー部の延出方向の基端部よりも低いことを特徴とする請求項６に記載の半導体装置。
【請求項８】
前記絶縁隔壁には、その突出方向からの圧力によって弾性変形する第２の弾性部が形成され、
前記絶縁隔壁は、前記第２の弾性部の弾性変形により前記突出方向に縮むことを特徴とする請求項７に記載の半導体装置。
【請求項９】
前記絶縁隔壁には、前記外部端子及び／または前記本体部に当接することにより一対の前記外部端子の配列方向及び前記絶縁隔壁の突出方向に直交する方向に前記絶縁隔壁が移動することを規制する規制部が、一体に形成されていることを特徴とする請求項１〜８のいずれか一項に記載の半導体装置。
【請求項１０】
前記絶縁隔壁には、一対の前記外部端子の側方を覆う側方カバー部が一体に形成されていることを特徴とする請求項１〜９のいずれか一項に記載の半導体装置。
【発明の詳細な説明】
【技術分野】
【０００１】
この発明は、半導体装置に関する。
【背景技術】
【０００２】
従来の半導体装置には、半導体チップを内蔵した本体部（例えば、半導体チップを収容するケース、半導体チップを封止するモールド樹脂など）の外面に、半導体チップに電気接続された複数の外部端子を互いに隣り合わせて配したものがある。この種の半導体装置においては、外部端子間において電気的な短絡が生じないように、外部端子間の距離（絶縁距離）を十分に確保する必要がある。これに対して、従来では、例えば特許文献１のように、本体部に一体成形されて本体部の外面から突出する平板状の絶縁隔壁を、外部端子間に配置することで、上記絶縁距離の延長を図っている。
【先行技術文献】
【特許文献】
【０００３】
【特許文献１】特開２００８−１９８８９９号公報
【発明の概要】
【発明が解決しようとする課題】
【０００４】
ところで、このような半導体装置においては、形状や大きさを同一とした本体部、あるいは、複数の外部端子の相対配置を同一とした本体部に対して、チップ特性（半導体チップにかかる電圧の大きさ）の異なる半導体チップを内蔵することがある。このような場合には、絶縁距離を確保するために必要な絶縁隔壁の大きさ（例えば高さや厚さ）が変わるため、内蔵する半導体チップの特性毎に大きさの異なる絶縁隔壁を形成する必要がある。しかしながら、上記従来の半導体装置では、絶縁隔壁が本体部に一体成形されているため、本体部の汎用性が低く、その結果として、半導体装置を安価に製造することができない、という問題がある。なお、チップ特性に関わらず、予め大きな絶縁隔壁を本体部に一体成形してもよいが、この場合には半導体装置のサイズが無駄に大きくなってしまう、という問題が生じる。
【０００５】
本発明は、上述した事情に鑑みたものであって、本体部に内蔵される様々な半導体チップのチップ特性に合わせて、様々な大きさの絶縁隔壁を本体部に取り付けることが可能となると共に、本体部の汎用性向上を図って半導体装置を安価に製造でき、さらに小型化することが可能な半導体装置を提供することを目的とする。
【課題を解決するための手段】
【０００６】
この課題を解決するために、本発明の半導体装置は、半導体チップと、前記半導体チップを内蔵する本体部と、前記半導体チップに電気接続されると共に前記本体部の外面から突出して前記本体部の外面上に間隔をあけて配される複数の外部端子と、電気的な絶縁性を有し、互いに隣り合う一対の前記外部端子の間において前記本体部の外面から突出するように配されることで、これら一対の前記外部端子の絶縁距離を延長する絶縁隔壁と、前記本体部の外面と前記外部端子との間に挿入される爪部と、前記本体部の外面と前記外部端子との間において前記爪部を前記外部端子側に押し付ける弾性部とを具備し、前記爪部と前記弾性部とにより前記絶縁隔壁を前記本体部及び前記外部端子に対して固定することを特徴とする。
【０００７】
なお、本体部の具体例としては、半導体チップを埋設するモールド樹脂や、半導体チップを収容する中空のケース、あるいは、中空のケース内にポッティング樹脂を充填して半導体チップを封止するもの等が挙げられる。
前記半導体装置によれば、絶縁隔壁が爪部及び弾性部によって本体部及び外部端子に対して固定されるので、絶縁隔壁を本体部とは別個に成形することができる。これにより、同一サイズ・形状の本体部に内蔵される様々な半導体チップのチップ特性に合わせて、様々な大きさの絶縁隔壁を本体部に取り付けることが可能となる。また、絶縁隔壁は、本体部の外面と外部端子との間に爪部が弾性部によって外部端子に押し付けられることで固定されるので、本体部に絶縁隔壁を取り付けるための形状を形成する必要が無い。したがって、本体部の汎用性が向上し、半導体装置を安価に製造することが可能となる。さらに、同一サイズ・形状の本体部に対して様々な大きさの絶縁隔壁を取り付けることができるので、半導体装置のサイズを必要最小限に抑えることができる。また、前記半導体装置によれば、絶縁隔壁は、その突出方向への移動が爪部により規制されると共に、隣り合う一対の外部端子の間に配されることにより該外部端子の配列方向への移動が規制される。
【０００８】
また、前記半導体装置は、前記爪部は、前記絶縁隔壁の突出方向基端部に形成されているようにしてもよい。
【０００９】
また、前記半導体装置は、前記絶縁隔壁は、弾性変形可能であり、弾性変形によって生じる弾性力により互いに隣り合う一対の前記外部端子の間に挟み込まれるようにしてもよい。
【００１０】
前記半導体装置によれば、絶縁隔壁が指等による押圧によって一対の外部端子の配列方向に弾性変形することにより、爪部を本体部の外面と外部端子との間から抜き出すことができる。すなわち、爪部及び弾性部による本体部及び外部端子に対する絶縁隔壁の固定が解除されるので、絶縁隔壁を本体部及び外部端子から容易に取り外すことが可能になる。
【００１１】
また、前記半導体装置において、前記絶縁隔壁は、前記本体部の外面から突出するように配されると共に一対の前記外部端子の配列方向に互いに間隔をあけて配される一対の隔壁板部と、前記一対の隔壁板部をその突出方向の先端部において連結し、弾性変形可能である接続板部とを有し、前記一対の隔壁板部の間隔は、前記接続板部の弾性変形により変化するようにしてもよい。
【００１２】
前記半導体装置によれば、一対の外部端子の間に挟み込まれた絶縁隔壁における一対の隔壁板部が指等により挟み込まれるように押圧されると、接続板部の弾性変形により隔壁板部の間隔が狭くなるため、爪部を本体部の外面と外部端子との間から抜き出すことができる。すなわち、爪部及び弾性部による本体部及び外部端子に対する絶縁隔壁の固定が解除されるので、絶縁隔壁を本体部及び外部端子から容易に取り外すことが可能になる。
【００１３】
また、前記半導体装置は、前記絶縁隔壁には、その突出方向の先端部から一対の前記外部端子の上方を覆うように一対の前記外部端子の配列方向に延出する上方カバー部が一体に形成され、前記上方カバー部は、その延出方向の両先端部が前記上方カバー部の延出方向の基端部よりも高いあるいは低いようにしてもよい。
【００１４】
前記半導体装置によれば、絶縁隔壁に一体に形成される上方カバー部が外部端子の配列方向に延出するので、絶縁隔壁の高さが低く抑えられたとしても、一対の外部端子間の絶縁距離を延ばすことができる。つまり、前記半導体装置によれば、半導体装置のサイズをさらに小さく抑えながら、外部端子間の絶縁距離も十分に確保することができる。また、、前記半導体装置によれば、上方カバー部における延出方向の両先端部が基端部よりも高いあるいは低い構成になっているので、上方カバー部の両先端部が指等により挟み込まれるように押圧されると、上方カバー部が基端部を中心に折れ曲がって一対の隔壁板部の間隔が狭くなるため、爪部を本体部の外面と外部端子との間から抜き出すことができる。すなわち、爪部及び弾性部による本体部及び外部端子に対する絶縁隔壁の固定が解除されるので、絶縁隔壁を本体部及び外部端子から容易に取り外すことが可能になる。さらに、前記半導体装置によれば、上方カバー部により外部端子の上方が覆われているので、動作時、つまり外部端子が通電されている状態時に、人が誤って外部端子に接触して感電することを防止できる。
【００１５】
また、前記半導体装置は、前記絶縁隔壁には、その突出方向の先端部から一対の前記外部端子の上方を覆うように一対の前記外部端子の配列方向に延出する上方カバー部が一体に形成され、前記上方カバー部の延出方向の両先端部には、一対の前記外部端子をその配列方向から挟み込む一対の狭持部が一体に形成され、前記爪部は、前記一対の狭持部各々に形成されているようにしてもよい。
【００１６】
前記半導体装置によれば、絶縁隔壁に一体に形成される上方カバー部が外部端子の配列方向に延出するので、絶縁隔壁の高さが低く抑えられたとしても、一対の外部端子間の絶縁距離を延ばすことができる。つまり、前記半導体装置によれば、半導体装置のサイズをさらに小さく抑えながら、外部端子間の絶縁距離も十分に確保することができる。さらに、前記半導体装置によれば、上方カバー部により外部端子の上方が覆われているので、動作時、つまり外部端子が通電されている状態時に、人が誤って外部端子に接触して感電することを防止できる。
【００１７】
また、前記半導体装置は、前記上方カバー部は、その延出方向の両先端部が前記上方カバー部の延出方向の基端部よりも低いようにしてもよい。
【００１８】
前記半導体装置によれば、上方カバー部における延出方向の両先端部が基端部よりも低い構成になっているので、上方カバー部の基端部が指等により上方向から押圧されると、上方カバー部が基端部を中心に凹形状に折れ曲がって一対の挟持部の間隔が広がるため、爪部を本体部の外面と外部端子との間から抜き出すことができる。すなわち、爪部及び弾性部による本体部及び外部端子に対する絶縁隔壁の固定が解除されるので、絶縁隔壁を本体部及び外部端子から容易に取り外すことが可能になる。
【００１９】
また、前記半導体装置において、前記絶縁隔壁には、その突出方向からの圧力によって弾性変形する第２の弾性部が形成され、前記絶縁隔壁は、前記第２の弾性部の弾性変形により前記突出方向に縮むようにしてもよい。
【００２０】
前記半導体装置によれば、上方カバー部の基端部が指等により上方向から押圧された際に、絶縁隔壁に対する上方向（突出方向）からの圧力を第２の弾性部が吸収するので、絶縁隔壁が破損しない。
【００２１】
また、前記半導体装置は、前記絶縁隔壁には、前記外部端子及び／または前記本体部に当接することにより一対の前記外部端子の配列方向及び前記絶縁隔壁の突出方向に直交する方向に前記絶縁隔壁が移動することを規制する規制部が、一体に形成されているようにしてもよい。
【００２２】
前記半導体装置によれば、絶縁隔壁は、その突出方向及び一対の外部端子の配列方向への移動に加えて、これらの方向に直交する方向への移動が規制される。これにより、半導体装置をいかなる向きに配しても、重力等によって絶縁隔壁が本体部から不意に外れてしまうことを防止できる。
【００２３】
また、前記半導体装置は、前記絶縁隔壁には、一対の前記外部端子の側方を覆う側方カバー部が一体に形成されているようにしてもよい。
【００２４】
前記半導体装置によれば、側方カバー部により外部端子の側方が覆われているので、動作時、つまり外部端子が通電されている状態時に、人が誤って外部端子に接触して感電することを防止できる。
【発明の効果】
【００２５】
本発明によれば、本体部に内蔵される様々な半導体チップのチップ特性に合わせて、様々な大きさの絶縁隔壁を本体部に取り付けることが可能となると共に、本体部の汎用性向上を図って半導体装置を安価に製造でき、さらに半導体装置を小型化することが可能である。
【図面の簡単な説明】
【００２６】
【図１】本発明の第一実施形態に係る半導体装置Ａの正面図である。
【図２】本発明の第一実施形態の上方カバー部１４を透視した平面図である。
【図３】本発明の第一実施形態の正面拡大図である。
【図４】本発明の第一実施形態の一点鎖線Ｘにおける断面図である。
【図５】本発明の第一実施形態の一点鎖線Ｙにおける断面図である。
【図６】本発明の第二実施形態に係る半導体装置Ｂの正面図である。
【発明を実施するための形態】
【００２７】
以下、図面を参照して、本発明の実施形態について説明する。
〔第一実施形態〕
最初に第一実施形態について説明する。
第一実施形態に係る半導体装置Ａは、図１〜５に示すように、板状のヒートシンク１の上面上にダイオードやトランジスタ等の半導体チップ２が配されると共に、一対の端子板３の長手方向の一端部（内部端子、不図示）が半導体チップ２に電気接続された上で、上記ヒートシンク１の上面側の一部、半導体チップ２及び端子板３の一端部がモールド樹脂４（本体部）で封止される構成になっている。
【００２８】
ヒートシンク１は、半導体チップ２に発生した熱を放熱することを目的に設けられた部品であり、導電性を有し、かつ放熱性の高い材料によって形成されている。ヒートシンク１をなす具体的な材料としては、例えば銅（Ｃｕ）、タングステン、モリブデン、あるいは、これにＮｉメッキを施したものが挙げられる。このヒートシンク１は、モールド樹脂４から露出した面から主に熱を外部に放出する。
【００２９】
半導体チップ２は、ヒートシンク１と電気的に絶縁されるように、不図示の絶縁シートや表裏面に配線パターンを形成した絶縁基板を介して、ヒートシンク１上に配置される、あるいは、ヒートシンク１との間にモールド樹脂４を介在させて配置される。これにより、通電によって半導体チップ２において生じた熱を、ヒートシンク１から半導体装置Ａの外部に逃がすことができる。
【００３０】
端子板３の各他端部３ａは、モールド樹脂４の上面４ａ（外面）から突出している。各端子板３の他端部３ａにおける突出方向の基端板部は、屈曲された屈曲部３ｂとなっている。一方、他端部３ａの突出方向の先端板部は、外部配線（不図示）を半導体チップ２に電気接続させるための外部端子３ｃとなっている。外部端子３ｃは、板厚方向がモールド樹脂４の上面４ａに直交するように該上面４ａ上に配されている。また、本実施形態では、一対の外部端子３ｃが、モールド樹脂４の上面４ａ上において一対の外部端子３ｃの配列方向に直交する方向に間隔を空けて２組並列されている。
【００３１】
さらに、外部端子３ｃには、その板厚方向に貫通する挿通孔（不図示）が形成され、該挿通孔に外部端子３ｃに外部配線を締結させるためのネジ５が挿通されている。そして、一対の外部端子３ｃは、各々の屈曲部３ｂ側から互いに近づくように延びているものの、互いに間隔をあけて配され、接触はしていない。
【００３２】
モールド樹脂４は、半導体チップ２を内蔵し、該半導体チップを水分やほこりから守るものであり、半導体装置Ａにおける主な外観を成している。このモールド樹脂４には、その上面４ａから窪んでナット６を収容するナット収容部（不図示）が各外部端子３ｃの挿通孔の下方に位置するように形成されている。よって、ナット収容部に収容されたナット６は、その雌ねじ（ネジ孔）が外部端子３ｃの挿通孔に連通するように配される。
【００３３】
さらに、第一実施形態に係る半導体装置Ａは、電気的な絶縁性を有する絶縁部材１０を備えている。絶縁部材１０は、電気的な絶縁性を有し、絶縁隔壁１１、爪部１２、弾性部１３、上方カバー部１４、側方カバー部１５及び規制部１６を備えている。
絶縁隔壁１１は、互いに隣り合う一対の外部端子３ｃの間においてモールド樹脂４の上面４ａから突出するように配されることで、これら一対の外部端子３ｃの絶縁距離を延長するものである。この絶縁隔壁１１は、モールド樹脂４の上面４ａから突出するように配されると共に一対の外部端子３ｃの配列方向に互いに間隔をあけて配される一対の隔壁板部１１ａと、一対の隔壁板部１１ａをその突出方向の先端部において連結し、弾性変形可能である接続板部１１ｂとを有する。このような絶縁隔壁１１において、一対の隔壁板部１１ａの間隔は、接続板部１１ｂの弾性変形により変化する（特に突出方向基端部が変化する）。
【００３４】
爪部１２は、絶縁隔壁１１の突出方向基端部に形成され、隔壁板部１１ａの基端部から隔壁板部１１ａの突出方向に直交する方向に延在する。一対の隔壁板部１１ａに形成された一対の爪部１２は、お互いに離れる方向に延在する。この爪部１２は、モールド樹脂４の上面４ａと外部端子３ｃとの間に挿入されている（図３参照）。
【００３５】
弾性部１３は、爪部１２の延在方向の先端部１２ａ（図３参照）に形成されている。弾性部１３は、爪部１２の先端部１２ａから、モールド樹脂の上面４ａに向かうに従って爪部１２の延出方向とは逆向きに延びるように、絶縁隔壁１１の突出方向に対して傾斜している。一対の絶縁隔壁１１に形成された一対の弾性部１３は、これらの先端部１３ａ（図３参照）の間隔が一対の爪部１２の先端部１２ａの間隔よりも小さくなるように配されている。この弾性部１３は、爪部１２と共にモールド樹脂４の上面４ａと外部端子３ｃとの間に挿入されることで弾性変形し、爪部１２を外部端子３ｃ側（図３の太矢印側）に押し付ける。上記爪部１２及び上記弾性部１３によって、絶縁隔壁１１は、モールド樹脂４及び外部端子３ｃに対して固定される。
【００３６】
上方カバー部１４は、絶縁隔壁１１の突出方向の先端部から外部端子３ｃの上方を覆うように絶縁隔壁１１の厚さ方向に延出する平板であり、絶縁隔壁１１の突出方向の先端部に一体に形成されている。つまり、上方カバー部１４は、ネジ５に対向するように配されている。また、上方カバー部１４は、その延出方向の両先端部が上方カバー部１４の延出方向の基端部（接続板部１１ｂ）よりも低くなっている。一方、上方カバー部１４は、その延出方向の両先端部が上方カバー部１４の延出方向の基端部よりも高い場合には、側方カバー部１５が内側方向に押圧されると、接続板部１１ｂが凹形状になるように変形する。
側方カバー部１５は、外部端子３ｃの側方を覆うことを目的として上方カバー部１４の突出方向の先端部に一体に形成されている。
【００３７】
規制部１６は、図１,２,４,５に示すように、上方カバー部１４の内面から外部端子３ｃに向けて延在すると共に、２組の一対の外部端子３ｃの間に配置され、各外部端子３ｃ毎に設けられている。この規制部１６は、外部端子３ｃの側部に当接することにより一対の外部端子３ｃの配列方向及び絶縁隔壁１１の突出方向に直交する方向に絶縁部材１０（絶縁隔壁１１）が移動することを規制する。つまり、規制部１６は、図２及び５に示す点線矢印方向に絶縁部材１０が移動することを規制できる。
【００３８】
以上のように構成される半導体装置Ａおいて、外部配線を外部端子３ｃに取り付ける場合には、例えばネジ５をナット６に螺着させて外部配線を２組の一対の外部端子３ｃにそれぞれ締結した後に、絶縁部材１０をモールド樹脂４に取り付ければよい。また、半導体装置Ａにおいて、側方カバー部１５が指等により挟み込まれるように内側方向に押圧（図１の太矢印方向に押圧）されると、接続板部１１ｂ（上方カバー部１４の基端部）が凸形状になるように変形（図１の点線太矢印方向に変形）することにより隔壁板部１１ａの間隔が狭くなる（図３の点線太矢印方向に狭くなる）ため、爪部１２をモールド樹脂４の上面４ａと外部端子３ｃとの間から抜き出すことができる。
【００３９】
このような第一実施形態によれば、絶縁隔壁１１が爪部１２及び弾性部１３によってモールド樹脂４及び外部端子３ｃに対して着脱可能に固定されるので、絶縁隔壁１１をモールド樹脂４とは別個に成形することができる。これにより、同一サイズ・形状のモールド樹脂４に内蔵される様々な半導体チップ２のチップ特性に合わせて、様々な大きさの絶縁隔壁１１をモールド樹脂４に取り付けることが可能となる。また、絶縁隔壁１１は、モールド樹脂４の上面４ａと外部端子３ｃとの間に爪部１２が弾性部１３によって外部端子３ｃに押し付けられることで固定されるので、モールド樹脂４に絶縁隔壁１１を取り付けるための形状を形成する必要が無い。したがって、モールド樹脂４の汎用性が向上し、半導体装置Ａを安価に製造することが可能となる。さらに、同一サイズ・形状のモールド樹脂４に対して様々な大きさの絶縁隔壁１１を取り付けることができるので、半導体装置Ａのサイズを必要最小限に抑えることもできる。
【００４０】
また、第一実施形態によれば、上方カバー部１４における延出方向の両先端部が基端部よりも高いあるいは低い構成になっているので、側方カバー部１５が指等により挟み込まれるように内側方向に押圧されると、接続板部１１ｂの変形により隔壁板部１１ａの間隔が狭くなるため、爪部１２をモールド樹脂４の上面４ａと外部端子３ｃとの間から抜き出すことができる。すなわち、爪部１２及び弾性部１３によるモールド樹脂４及び外部端子３ｃに対する絶縁隔壁１１の固定が解除されるため、絶縁隔壁１１をモールド樹脂４及び外部端子３ｃから容易に取り外すことが可能になる。
【００４１】
また、第一実施形態によれば、絶縁隔壁１１は、その突出方向への移動が爪部１２により規制されると共に、隣り合う一対の外部端子３ｃの間に配されることにより該一対の外部端子３ｃの配列方向への移動が規制される。さらに、第一実施形態によれば、絶縁隔壁１１は、その突出方向及び一対の外部端子の配列方向への移動に加えて、これらの方向に直交する方向への移動が規制される。これにより、半導体装置Ａをいかなる向きに配しても、重力等によって絶縁隔壁１１がモールド樹脂４から不意に外れてしまうことを防止できる。
【００４２】
また、第一実施形態によれば、ネジ５の頭部が上方カバー部１４及び側方カバー部１５によって覆われることで、ネジ５の頭部に触れることを防止できるため、ネジ５の頭部に外力が加えられて外部端子３ｃに対する外部配線の締結状態が緩んでしまうことを確実に防ぐことができる。また、第一実施形態によれば、絶縁隔壁１１に一体に形成される上方カバー部１４が外部端子３ｃの配列方向に延出するので、絶縁隔壁１１の高さが低く抑えられたとしても、一対の外部端子３ｃ間の絶縁距離を延ばすことができる。つまり、上記第一実施形態によれば、半導体装置Ａのサイズをさらに小さく抑えながら、外部端子３ｃ間の絶縁距離も十分に確保することができる。
【００４３】
さらに、第一実施形態によれば、上方カバー部１４により外部端子３の上方が覆われると共に側方カバー部１５により外部端子３の側方が覆われているので、動作時、つまり外部端子３が通電されている状態時に、人が誤って外部端子に接触して感電することを防止できる。
【００４４】
〔第二実施形態〕
次に、図６を参照して本発明の第二実施形態について説明する。
第二実施形態に係る半導体装置Ｂは、第一実施形態と比較して、隔壁板部１１ａの形状や、外部端子３ｃが延在する向きや、爪部１２及び弾性部１３が配置される場所などが異なっている。なお、第一実施形態と同一構成についてはその説明を省略する。
【００４５】
一対の外部端子３ｃは、第一実施形態とは異なり、各々の屈曲部３ｂ側から互いに離れるように延びると共に、屈曲部３ｂ側が互いに間隔をあけて配されている。
第二実施形態に係る半導体装置Ｂを構成する絶縁部材１０は、絶縁隔壁１１、爪部１２、弾性部１３、上方カバー部１４、挟持部（側方カバー部）１５及び規制部１６を備えている。
【００４６】
一対の隔壁板部１１ａ各々には、その突出方向からの圧力によって弾性変形する第２の弾性部１１ｃが形成されている。隔壁板部１１ａは、第２の弾性部１１ｃの弾性変形により突出方向に縮む、つまり、突出方向からの圧力を吸収することができる。
上方カバー部１４の延出方向の両先端部は、上方カバー部１４の延出方向の基端部（接続板部１１ｂ）よりも低くなっている。
狭持部１５は、一対の外部端子３ｃをその配列方向から挟み込む一対の平板であり、上方カバー部１４の延出方向の両先端部に一体に形成されている。また、一対の狭持部１５各々の先端部には、図６に示すように、爪部１２及び弾性部１３が形成されている。
【００４７】
つまり、爪部１２は、狭持部１５の先端部に形成され、狭持部１５の先端部から狭持部１５の延在方向に直交する方向に延在する。一対の狭持部１５に形成された一対の爪部１２は、お互いに近づく方向に延在する。この爪部１２は、モールド樹脂４の上面４ａと外部端子３ｃとの間に挿入されている。
【００４８】
また、弾性部１３は、爪部１２の延在方向の先端部１２ａ（図６参照）に形成されている。弾性部１３は、爪部１２の先端部１２ａから、モールド樹脂の上面４ａに向かうに従って爪部１２の延出方向とは逆向きに延びるように、絶縁隔壁１１の突出方向に対して傾斜している。一対の絶縁隔壁１１に形成された一対の弾性部１３は、これらの先端部１３ａ（図６参照）の間隔が一対の爪部１２の先端部１２ａの間隔よりも大きくなるように配されている。この弾性部１３は、爪部１２と共にモールド樹脂４の上面４ａと外部端子３ｃとの間に挿入されることで弾性変形し、爪部１２を外部端子３ｃ側に押し付ける。上記爪部１２及び上記弾性部１３によって、絶縁隔壁１１は、モールド樹脂４及び外部端子３ｃに対して固定される。
【００４９】
以上のように構成される半導体装置Ｂにおいて、外部配線を外部端子３ｃに取り付ける場合には、第一実施形態の場合と同様に、ネジ５をナット６に螺着させて外部配線を２組の一対の外部端子３ｃにそれぞれ締結した後に、絶縁部材１０をモールド樹脂４に取り付ければよい。また、半導体装置Ｂにおいて、上方カバー部１４の基端部が指等により上方向から押圧（図６の太矢印方向から押圧）されると、第２の弾性部１１ｃの弾性変形により隔壁板部１１ａが突出方向に縮むために、上方カバー部１４が基端部（接続板部１１ｂ）を中心に凹形状に折れ曲がって挟持部１５の間隔が広がる（図６の点線太矢印方向に変形する）ので、爪部１２をモールド樹脂４の上面４ａと外部端子３ｃとの間から抜き出すことができる。
【００５０】
第二実施形態の半導体装置Ｂによれば、第一実施形態と同様に、絶縁隔壁１１が爪部１２及び弾性部１３によってモールド樹脂４及び外部端子３ｃに対して着脱可能に固定されるので、絶縁隔壁１１をモールド樹脂４とは別個に成形することができる。これにより、同一サイズ・形状のモールド樹脂４に内蔵される様々な半導体チップ２のチップ特性に合わせて、様々な大きさの絶縁隔壁１１をモールド樹脂４に取り付けることが可能となる。また、絶縁隔壁１１は、モールド樹脂４の上面４ａと外部端子３ｃとの間に爪部１２が弾性部１３によって外部端子３ｃに押し付けられることで固定されるので、モールド樹脂４に絶縁隔壁１１を取り付けるための形状を形成する必要が無い。したがって、モールド樹脂４の汎用性が向上し、半導体装置Ａを安価に製造することが可能となる。さらに、同一サイズ・形状のモールド樹脂４に対して様々な大きさの絶縁隔壁１１を取り付けることができるので、半導体装置Ａのサイズを必要最小限に抑えることもできる。
【００５１】
また、第二実施形態によれば、上方カバー部１４における延出方向の両先端部が基端部よりも低い構成になっているので、上方カバー部１４の基端部（接続板部１１ｂ）が指等により上方向から押圧されると、上方カバー部１４が基端部を中心に凹形状に折れ曲がって挟持部１５の間隔が広がるため、爪部１２をモールド樹脂４の上面４ａと外部端子３ｃとの間から抜き出すことができる。すなわち、爪部１２及び弾性部１３によるモールド樹脂４及び外部端子３ｃに対する絶縁隔壁１１の固定が解除されるので、絶縁隔壁１１をモールド樹脂４及び外部端子３ｃから容易に取り外すことが可能になる。また、第二実施形態によれば、上方カバー部の基端部が指等により上方向から押圧された際に、隔壁板部１１ａ（絶縁隔壁１１）に対する上方向（突出方向）からの圧力を第２の弾性部１１ｃが吸収するので、隔壁板部１１ａが破損しない。
【００５２】
また、第二実施形態によれば、絶縁隔壁１１は、その突出方向への移動が爪部１２により規制されると共に、隣り合う一対の外部端子３ｃの間に配されることにより該一対の外部端子３ｃの配列方向への移動が規制される。さらに、第二実施形態によれば、絶縁隔壁１１は、その突出方向及び一対の外部端子の配列方向への移動に加えて、これらの方向に直交する方向への移動が規制される。これにより、半導体装置Ｂをいかなる向きに配しても、重力等によって絶縁隔壁が本体部から不意に外れてしまうことを防止できる。
【００５３】
また、第二実施形態によれば、ネジ５の頭部が上方カバー部１４及び挟持部（側方カバー部）１５によって覆われることで、ネジ５の頭部に触れることを防止できるため、ネジ５の頭部に外力が加えられて外部端子３ｃに対する外部配線の締結状態が緩んでしまうことを確実に防ぐことができる。また、第二実施形態によれば、絶縁隔壁１１に一体に形成される上方カバー部１４が外部端子３ｃの配列方向に延出するので、絶縁隔壁１１の高さが低く抑えられたとしても、一対の外部端子３ｃ間の絶縁距離を延ばすことができる。つまり、上記第二実施形態によれば、半導体装置Ｂのサイズをさらに小さく抑えながら、外部端子３ｃ間の絶縁距離も十分に確保することができる。
【００５４】
さらに、第二実施形態によれば、上方カバー部１４により外部端子３の上方が覆われると共に側方カバー部１５により外部端子３の側方が覆われているので、動作時、つまり外部端子３が通電されている状態時に、人が誤って外部端子に接触して感電することを防止できる。
【００５５】
以上、本発明の実施形態について説明したが、本発明は上記実施形態に限定されることなく、例えば以下のような変形が考えられる。
（１）上記実施形態において、絶縁隔壁１１は、爪部１２、弾性部１３、上方カバー部１４、側方カバー部（挟持部）１５及び規制部１６と一体に成形されているが、少なくとも絶縁隔壁１１、爪部１２及び弾性部１３を備えて構成されていればよい。
【００５６】
（２）上記実施形態の構成に限定されず、少なくとも半導体チップ２を内蔵した本体部と、半導体チップ２に電気接続されて本体部の外面に配される複数の外部端子３ｃとを備えた構成に適用することができる。すなわち、本発明における本体部は、上記実施形態のように半導体チップ２を埋設するモールド樹脂４によって構成されてもよいが、例えば半導体チップ２を収容する中空ケースや、中空ケース内にポッティング樹脂を充填して半導体チップ２を封止したものによって構成されてもよい。
【００５７】
また、ネジ止めによって外部配線を外部端子３ｃに締結させる場合、上記実施形態におけるモールド樹脂４は、ナット収容部にナット６を収容する構成であったが、少なくとも外部端子３ｃに外部配線を締結させるためのネジ５を螺着させるネジ孔が形成されていればよい。したがって、前述の本体部は、例えば、モールド樹脂４や中空ケースにナット６を封止して構成されてもよいし、モールド樹脂４や中空ケースに直接ネジ孔が形成されてもよい。
【００５８】
（３）上記実施形態では、１つの半導体チップ２と２組の一対の外部端子３ｃとを備える構成であったが、本発明はこれに限定されない。つまり、複数の半導体チップ２や１組または３組の一対の外部端子３ｃを備える半導体装置に、本発明を適用するようにしてもよい。さらに、外部端子３ｃの延出方向は、互いに近づくまたは離れる方向に限らず、任意の方向に設定されていてよい。したがって、絶縁隔壁１１は、互いに隣り合う一対の外部端子３ｃの間に配されていればよい。
【００５９】
（４）上記実施形態において、絶縁隔壁１１は、一対の隔壁板部１１ａから構成されているが、本発明はこれに限定されない。例えば、１枚であってもよい、また３枚以上であってもよい。例えば、弾性変形可能であると共に所定の厚みを有する１枚の絶縁隔壁１１を一対の外部端子３ｃの間に配する構成にするようにしてもよい。この場合には、外部端子３ｃの間に挟み込まれた絶縁隔壁１１が指等による押圧によって一対の外部端子３ｃの配列方向に弾性変形することにより、爪部１２をモールド樹脂４の上面４ａと外部端子３ｃとの間から抜き出すことができる。すなわち、爪部１２及び弾性部１３によるモールド樹脂４及び外部端子３ｃに対する絶縁隔壁１１の固定が解除されるので、絶縁隔壁１１をモールド樹脂４及び外部端子３ｃから容易に取り外すことが可能になる。なお、１枚であってある場合には、接続板部１１ｂは存在しない。
【００６０】
（５）上記実施形態において、規制部１６が外部端子３ｃに当接することにより一対の外部端子３ｃの配列方向及び絶縁隔壁１１の突出方向に直交する方向に絶縁隔壁１１が移動することを規制しているが、本発明はこれに限定されない。例えば、規制部１６が外部端子３ｃ及び／またはモールド樹脂４に当接するようにしてもよい。
【符号の説明】
【００６１】
Ａ，Ｂ  半導体装置
１  ヒートシンク
２  半導体チップ
３  端子板
３ａ  他端部
３ｂ  屈曲部
３ｃ  外部端子
４  モールド樹脂（本体部）
４ａ  上面（外面）
５  ネジ
６  ナット
１０  絶縁部材
１１  絶縁隔壁
１１ａ  隔壁板部
１１ｂ  接続板部
１１ｃ  第２の弾性部
１２  爪部
１２ａ  先端部
１３  弾性部
１３ａ  先端部
１４  上方カバー部
１５  側方カバー部（挟持部）
１６  規制部
【図１】
0005767932.tif 000002
【図２】
0005767932.tif 000003
【図３】
0005767932.tif 000004
【図４】
0005767932.tif 000005
【図５】
0005767932.tif 000006
【図６】
0005767932.tif 000007